(57)【特許請求の範囲】
【請求項１】
履物の内部底面に配置され、着用者の足裏を保護するように構成された履物用組立型インソールであって、
踵の下部部位を支持する踵下部支持部（１０）と、
前記踵下部支持部（１０）の下部に位置し、前記踵下部支持部（１０）が付着される踵下部支持板（２０）と、
前記踵下部支持部（１０）の前方に位置し、足裏のアーチの内側部位を支持するアーチ内側支持部（３０）と、
足裏のアーチの中心を基準として内側に位置し、且つ前記アーチ内側支持部（３０）の下部に位置しており、前記アーチ内側支持部（３０）が付着されるアーチ内側支持板（４０）と、
前記踵下部支持部（１０）の前方に位置し、足裏のアーチの外側部位を支持するアーチ外側支持部（５０）と、
足裏のアーチの中心を基準として外側に位置し、且つ前記アーチ内側支持板（４０）に接して前記アーチ外側支持部（５０）の下部に位置しており、前記アーチ外側支持部（５０）が付着されるアーチ外側支持板（６０）と、
足裏のアーチと、アーチの前方に位置する足裏を支持するインソールベース（７０）と
前記踵下部支持板（２０）、前記アーチ内側支持板（４０）、およびアーチ外側支持板（６０）の下部に位置し、前記踵下部支持板（２０）、前記アーチ内側支持板（４０）、およびアーチ外側支持板（６０）が交替可能であるように組み立てられて結合される支持板用結合板（８０）と、を含んでなることを特徴とする組立型インソール。
【請求項２】
前記インソールベース（７０）は、前記踵下部支持部（１０）、前記アーチ内側支持部（３０）、および前記アーチ外側支持部（５０）と互いに隣接することを特徴とする請求項１に記載の組立型インソール。
【請求項３】
前記踵下部支持部（１０）、前記アーチ内側支持部（３０）、および前記アーチ外側支持部（５０）は、前記インソールベース（７０）との隣接部位が互いに嵌合される構造を 有することを特徴とする請求項２に記載の組立型インソール。
【請求項４】
前記支持板用結合板（８０）の上部には、多数の突出部（８１）が備えられており、前記踵下部支持板（２０）、前記アーチ内側支持板（４０）、およびアーチ外側支持板（６０）には、それぞれ前記突出部（８１）に相応する位置に前記突出部８１が結合されて固定および分離が可能な突出部結合孔（２１、４１、６１）が形成されることを特徴とする請求項１に記載の組立型インソール。
【請求項５】
前記インソールベース（７０）、前記踵下部支持部（１０）、前記アーチ内側支持部（３０）、および前記アーチ外側支持部（５０）の上部にあわせて付着され、前記インソールベース（７０）、前記踵下部支持部（１０）、前記アーチ内側支持部（３０）、および前記アーチ外側支持部（５０）の上部を覆うインソールカバー布（９０）がさらに備えられることを特徴とする請求項１に記載の組立型インソール。
【請求項６】
前記インソールカバー布（９０）の下部には、前記インソールベース、前記踵下部支持部（１０）、前記アーチ内側支持部（３０）、および前記アーチ外側支持部（５０）に対して着脱可能であるように、粘着剤が塗布されていることを特徴とする請求項５に記載の組立型インソール。
【請求項７】
前記インソールベース（７０）、前記踵下部支持部（１０）、前記アーチ内側支持部（３０）、および前記アーチ外側支持部（５０）の上部には面ファスナーが付着され、前記インソールカバー布（９０）の下部には、前記面ファスナーに貼り付ける面ファスナー貼り付け部が形成されていて、着脱可能とすることを特徴とする請求項５に記載の組立型インソール。
【請求項８】
前記踵下部支持部（１０）、前記アーチ外側支持部（５０）、前記アーチ内側支持部（３０）、および前記インソールベース（７０）は、それぞれ異なる硬度を有することを特徴とする請求項１に記載の組立型インソール。
【発明の詳細な説明】
【技術分野】
【０００１】
本発明は、着用者の足裏の形状に合わせて支持できるように、足裏の先端と、アーチと、踵とをそれぞれ支持する部位を組み立てタイプとして備える組立型インソールに関する。
【背景技術】
【０００２】
一般に、履物用インソールは、履物の内部底面に配置し、歩行時や走行時などに発生する地面からの反発力を緩和させることで、着用者の足裏を保護するための保護用パッドのことである。
【０００３】
従来のインソールは、一般的な足の形状に合うように、いくつかの形状に製造されてきた。
【０００４】
着用者の足の形状は様々であるが、いくつかの形状に製造されたインソールから、着用者の足の形状に最も合うインソールを選択して使用しなければならなかった。
【０００５】
多様な着用者の足の形状に合うインソールを全て製作するには力不足であることから、多数の着用者の足の形状に最も合うようにするためのインソールを製造するために、足のアーチなどに接して足を支持するように変形が可能な素材の開発が行われてきた。
【０００６】
しかし、全ての着用者の足の形状に合うインソールに適した素材を開発するには限界があり、歩行時や走行時などに、着用者は不便さを感じるしかなかった。
【０００７】
近年、かかる履物用インソールが、患者や運動選手などの特殊な着用者のために製作されるオーダーメイドインソールとして多様に開発されている。
【０００８】
このようなオーダーメイドインソールは、例えば、マラソン選手など、主に動きが多い運動選手の場合にも、競技効率の向上を目的として、各足底部分の加圧力に対して最適の反発力を有する、適切な特殊なオーダーメイドインソールが製作されている。
【０００９】
しかし、かかるオーダーメイドインソールは、大体同じ材質を使用し、着用者の足裏の全体形状に合わせて一体型として製作されており、製作コストが高いため、一般人が使用するには負担があった。
【発明の概要】
【発明が解決しようとする課題】
【００１０】
発明は前記のような問題点を改善するために創案したものであって、本発明の目的は、着用者の足裏の形状に合わせて支持できるようにすることはもちろん、 足裏の先端と、アーチと、踵とをそれぞれ支持する部位を組み立てタイプとして備えることで、着用者の趣向に合わせて各部品を組み立てて使用できるようにする組立型インソールを提供するところにある。
【課題を解決するための手段】
【００１１】
本発明による履物用組立型インソールは、踵の下部部位を支持する踵下部支持部１０と、前記踵下部支持部１０の下部に位置し、前記踵下部支持部１０が付着される踵下部支持板２０と、前記踵下部支持部１０の前方に位置し、足裏のアーチ１（図８参照）の内側部位を支持するアーチ内側支持部３０と、足裏のアーチの中心を基準として内側に位置し、且つ前記アーチ内側支持部３０の下部に位置しており、前記アーチ内側支持部３０が付着されるアーチ内側支持板４０と、前記踵下部支持部１０の前方に位置し、足裏のアーチの外側部位を支持するアーチ外側支持部５０と、足裏のアーチの中心を基準として外側に位置し、且つ前記アーチ内側支持板４０に接して前記アーチ外側支持部５０の下部に位置しており、前記アーチ外側支持部５０が付着されるアーチ外側支持板６０と、足裏のアーチと、アーチの前方に位置する足裏を支持するインソールベース７０と、前記踵下部支持板２０、前記アーチ内側支持板４０、およびアーチ外側支持板６０の下部に位置し、前記踵下部支持板２０、前記アーチ内側支持板４０、およびアーチ外側支持板６０が交替可能であるように組み立てられて結合される支持板用結合板８０と、を含んでなることを特徴とする。
【００１２】
また、前記インソールベース７０は、前記踵下部支持部１０、前記アーチ内側支持部３０、および前記アーチ外側支持部５０と互いに隣接することを特徴とする。
【００１３】
また、前記踵下部支持部１０、前記アーチ内側支持部３０、および前記アーチ外側支持部５０は、前記インソールベース７０との隣接部位が互いに嵌合される構造を有することを特徴とする。
【００１４】
尚、前記支持板用結合板８０の上部には、多数の突出部８１が備えられており、前記踵下部支持板２０、前記アーチ内側支持板４０、およびアーチ外側支持板６０には、それぞれ前記突出部８１に相応する位置に前記突出部８１が結合されて固定および分離が可能な突出部結合孔２１、４１、６１が形成されることを特徴とする。
【００１５】
また、前記インソールベース７０、前記踵下部支持部１０、前記アーチ内側支持部３０、および前記アーチ外側支持部５０の上部にあわせて付着され、前記インソールベース７０、前記踵下部支持部１０、前記アーチ内側支持部３０、および前記アーチ外側支持部５０の上部を覆うインソールカバー布９０がさらに備えられることを特徴とする。
【００１６】
尚、前記インソールカバー布９０の下部には、前記インソールベース、前記踵下部支持部１０、前記アーチ内側支持部３０、および前記アーチ外側支持部５０に対して着脱可能であるように、粘着剤が塗布されていることを特徴とする。
【００１７】
また、前記インソールベース７０、前記踵下部支持部１０、前記アーチ内側支持部３０、および前記アーチ外側支持部５０の上部には面ファスナーが付着され、前記インソールカバー布９０の下部には、前記面ファスナーに貼り付ける面ファスナー貼り付け部が形成されていて、着脱可能とすることを特徴とする。
【００１８】
また、前記踵下部支持部１０、前記アーチ外側支持部５０、前記アーチ内側支持部３０、および前記インソールベース７０は、それぞれ異なる硬度を有することを特徴とする。
【発明の効果】
【００１９】
本発明は、着用者の足裏の形状に合わせて支持できるようにすることはもちろん、 足裏の先端と、アーチと、踵とをそれぞれ支持する部位を組み立てタイプとして備えて着用者の趣向に合わせて各部品を組み立てて使用できるため、多様な形態のインソールを提供することができる利点がある。
【００２０】
尚、一体型からなる従来のオーダーメイドインソールに比べて、コストが安価であり、着用者の好みに応じてそれぞれの部品を備え、趣向および使用用途に合うように組み立てて使用できるため、携帯および使用が便利である利点がある。また、各部品の硬度を異ならせることで、個人別装用感を高めることができる利点がある。
【図面の簡単な説明】
【００２１】
【図１】本発明の組立型インソールの支持板の結合構造を示した分解図である。
【図２】本発明の組立型インソールの支持板にそれぞれの部品を結合させるための構造を示した分解図である。
【図３】本発明の組立型インソールの支持板にそれぞれの部品を結合させた状態を示した図である。
【図４】図３の状態で、インソールベースを結合させるための構造を示した分解図である。
【図５】本発明の組立型インソールにおいて、踵下部支持板および踵下部支持部を示した図である。
【図６】本発明の組立型インソールが組み立てられた状態を示した平面図である。
【図７】本発明の組立型インソールの上部にインソールカバー布が付着された状態を示した図である。
【図８】アーチを説明するための図である。
【発明を実施するための形態】
【００２２】
以下、添付図面を参照して、本発明の組立型インソールを説明する。
【００２３】
図１は本発明の組立型インソールの支持板の結合構造を示した分解図であり、図２は本発明の組立型インソールの支持板にそれぞれの部品を結合させるための構造を示した分解図であり、図３は本発明の組立型インソールの支持板にそれぞれの部品を結合させた状態を示した図であり、図４は図３の状態で、インソールベースを結合させるための構造を示した分解図であり、図５は本発明の組立型インソールにおいて、踵下部支持板および踵下部支持部を示した図であり、図６は本発明の組立型インソールが組み立てられた状態を示した平面図であり、図７は本発明の組立型インソールの上部にインソールカバー布が付着された状態を示した図であり、図８はアーチを説明するための図である。
【００２４】
本発明の組立型インソールは、履物の内部底面に配置され、着用者の足裏を保護する役割を果たす。
【００２５】
本発明の組立型インソールは、踵下部支持部１０と、踵下部支持板２０と、アーチ内側支持部３０と、アーチ内側支持板４０と、アーチ外側支持部５０と、アーチ外側支持板６０と、インソールベース７０と、支持板用結合板８０と、を含んでなる。
【００２６】
前記踵下部支持部１０は、踵の下部部位を支持する役割を果たす。前記踵下部支持部１０は一体型として形成され、図示するように、踵の下部部位の外郭を形成する外郭部１１と、前記外郭部１１に挿入結合され、踵の中央部位を支持する踵中央支持部１２と、を含んでなることができる（図５参照）。
【００２７】
前記踵中央支持部１２は、着用者の趣向によって、前記外郭部１１と硬度、弾性が異なる材質からなってもよい。
【００２８】
前記踵下部支持板２０は、図５に示すように、前記踵下部支持部１０の下部に位置し、前記踵下部支持部１０が付着される。
【００２９】
前記アーチ内側支持部３０は、前記踵下部支持部１０の前方に位置し、足裏のアーチ１（図８参照）の内側部位を支持する役割を果たす。
【００３０】
前記アーチ内側支持板４０は、図２に示すように、足裏のアーチの中心を基準として内側に位置し、且つ前記アーチ内側支持部３０の下部に位置しており、前記アーチ内側支持部３０が付着される。
【００３１】
前記アーチ外側支持部５０は、前記踵下部支持部１０の前方に位置し、足裏のアーチの外側部位を支持する役割を果たす。
【００３２】
前記アーチ外側支持板６０は、図２に示すように、足裏のアーチの中心を基準として外側に位置し、且つ前記アーチ内側支持板４０に接して前記アーチ外側支持部５０の下部に位置しており、前記アーチ外側支持部５０が付着される。
【００３３】
前記アーチ内側支持部３０と前記アーチ外側支持部５０は、足裏のアーチ部位の内側および外側を支持することで、足裏のアーチ部位を安定して支持することができる。
【００３４】
前記インソールベース７０は、足裏のアーチと、アーチの前方に位置する足裏を支持する役割を果たす。
【００３５】
前記支持板用結合板８０は、前記踵下部支持板２０、前記アーチ内側支持板４０、およびアーチ外側支持板６０の下部に位置し、前記踵下部支持板２０、前記アーチ内側支持板４０、およびアーチ外側支持板６０が交替可能であるように組み立てられて結合される。
【００３６】
このように、本発明は、足裏を支持するインソールを組立型として備え、着用者の趣向に合わせて各部位の形状、要求される硬度、使用用途に合うように選択して組み立てて使用できる利点がある。
【００３７】
この際、前記インソールベース７０は、前記踵下部支持部１０、前記アーチ内側支持部３０、および前記アーチ外側支持部５０と互いに隣接することが好ましい（図６参照）。前記インソールベース７０が前記踵下部支持部１０、前記アーチ内側支持部３０、および前記アーチ外側支持部５０と互いに隣接するように備えられると、前記インソールベース７０、前記踵下部支持部１０、前記アーチ内側支持部３０、および前記アーチ外側支持部５０がともにインソールの全体を構成することとなり、足裏を安定して支持することができる。尚、前記踵下部支持部１０、前記アーチ内側支持部３０、前記アーチ外側支持部５０、および前記インソールベース７０は交替可能である。
【００３８】
この際、前記踵下部支持部１０、前記アーチ内側支持部３０、および前記アーチ外側支持部５０は、それぞれ前記踵下部支持板２０、前記アーチ内側支持板４０、および前記アーチ外側支持板６０に着用者が直接付着するか、それぞれ前記踵下部支持板２０、前記アーチ内側支持板４０、および前記アーチ外側支持板６０に付着されるため、交替時にはこれらがともに交替されるようにすることができる。
【００３９】
また、前記踵下部支持部１０、前記アーチ内側支持部３０、および前記アーチ外側支持部５０は、前記インソールベース７０との隣接部位に突起部および凹溝が備えられ、互いに嵌合されてもよい。このように、前記踵下部支持部１０、前記アーチ内側支持部３０、および前記アーチ外側支持部５０は、前記インソールベース７０との隣接部位が互いに嵌合されると、インソール全体を組み立てた際に、結合力が上昇することができる。
【００４０】
また、前記支持板用結合板８０の上部には、図１および図２に示すように、多数の突出部８１が備えられており、前記踵下部支持板２０、前記アーチ内側支持板４０、およびアーチ外側支持板６０には、それぞれ前記突出部８１に相応する位置に前記突出部８１が結合されて固定および分離が可能な突出部結合孔２１、４１、６１が形成されることが好ましい。このように、突出部８１と突出部結合孔２１、４１、６１が備えられ、互いに結合されて固定されると、前記支持板用結合板８０の上部に結合される前記踵下部支持板２０、前記アーチ内側支持板４０、およびアーチ外側支持板６０の結合が容易であるだけでなく、結合力が上昇し、安定して固定される。
【００４１】
尚、前記インソールベース７０、前記踵下部支持部１０、前記アーチ内側支持部３０、および前記アーチ外側支持部５０の上部にあわせて付着され、前記インソールベース７０、前記踵下部支持部１０、前記アーチ内側支持部３０、および前記アーチ外側支持部５０の上部を覆うインソールカバー布９０がさらに備えられることが好ましい（図７参照）。
【００４２】
前記インソールカバー布９０が、前記インソールベース７０、前記踵下部支持部１０、前記アーチ内側支持部３０、および前記アーチ外側支持部５０の上部にあわせて付着されると、組み立てられてインソール全体を構成することになる前記インソールベース７０、前記踵下部支持部１０、前記アーチ内側支持部３０、および前記アーチ外側支持部５０の結合力が上昇するだけでなく、互いに隣接する前記インソールベース７０、前記踵下部支持部１０、前記アーチ内側支持部３０、および前記アーチ外側支持部５０が開くことが防止され、足裏を安定して支持することができる。
【００４３】
この際、前記インソールカバー布９０の下部には、前記インソールベース、前記踵下部支持部１０、前記アーチ内側支持部３０、および前記アーチ外側支持部５０に対して着脱可能であるように、粘着剤が塗布されていることが好ましい。前記インソールカバー布９０の下部に、前記インソールベース、前記踵下部支持部１０、前記アーチ内側支持部３０、および前記アーチ外側支持部５０に対して着脱可能であるように粘着剤が塗布されることは、着用者の趣向に合わせてインソールの部品を組み立てる際に、前記インソールカバー布９０の除去と、インソールの部品を組み立てた後におけるインソールカバー布の再付着を容易にするためである。
【００４４】
尚、インソールカバー布の付着のために面ファスナーを用いてもよい。この場合、前記インソールベース７０、前記踵下部支持部１０、前記アーチ内側支持部３０、および前記アーチ外側支持部５０の上部には面ファスナー（不図示）が付着され、前記インソールカバー布９０の下部には、前記面ファスナーに貼り付ける面ファスナー貼り付け部（不図示）が形成されていて、着脱可能とする。
【００４５】
また、前記踵下部支持部１０、前記アーチ外側支持部５０、前記アーチ内側支持部３０、および前記インソールベース７０は、それぞれ異なる硬度を有することが好ましい。
【００４６】
このように、前記踵下部支持部１０、前記アーチ外側支持部５０、前記アーチ内側支持部３０、および前記インソールベース７０がそれぞれ異なる硬度を有すると、個人の趣向による個人別装用感を高めることができる。
【００４７】
以上、添付された図面を参照して本発明の実施例を説明したが、本発明は前記実施例に限定されるのではなく、互いに異なる様々な形態で具現可能であり、本発明が属する技術分野で通常の知識を有する者は、本発明がその技術的思想や必須の特徴を変更しないまま他の具体的な形態として実施できることを理解できるはすである。従って、以上で記述した実施例はすべての面において例示的なものであり限定的ではないものと理解しなければならない。
【符号の説明】
【００４８】
１0  踵下部支持部
１１ 外郭部
１２ 踵中央支持部
２０ 踵下部支持板
２１、４１、６１ 突出部結合孔
３０ アーチ内側支持部
４０ アーチ内側支持板
５０ アーチ外側支持部
６０ アーチ外側支持板
７０ インソールベース
８０ 支持板用結合板
８１ 突出部
９０ インソールカバー布
【図１】
0006830747.tif 000002
【図２】
0006830747.tif 000003
【図３】
0006830747.tif 000004
【図４】
0006830747.tif 000005
【図５】
0006830747.tif 000006
【図６】
0006830747.tif 000007
【図７】
0006830747.tif 000008
【図８】
0006830747.tif 000009